(57)【特許請求の範囲】
【請求項１】
回転式ノブの回転操作により、設定スイッチによる設定内容を切り換えて車両空調装置を操作する車両空調装置用操作装置において、
前記設定スイッチの操作機能を切り換える切換スイッチに対応して設けられている１つの回転式切換スイッチノブと、
前記切換スイッチノブの回転操作に連動する歯車を介して回転され、その操作機能を表示する表示板と、
前記表示板と同一軸心上に設けられ、前記表示板により表示されている操作機能の設定内容を切り換える前記設定スイッチに対応して設けられている１つの回転式設定スイッチノブと、を備え、
車両空調装置の少なくとも３つの操作機能の設定内容を前記切換スイッチノブおよび前記設定スイッチノブの２つの回転式ノブで切り換え可能としたことを特徴とする車両空調装置用操作装置。
【請求項２】
前記切換スイッチノブは、外周が歯車形状とされ、このノブ側外周歯車が前記表示板を回転する前記歯車と噛合されていることを特徴とする請求項１に記載の車両空調装置用操作装置。
【請求項３】
前記ノブ側外周歯車と前記表示板を回転する前記歯車とは、中間歯車を介して噛合されていることを特徴とする請求項２に記載の車両空調装置用操作装置。
【請求項４】
前記表示板と該表示板を回転する前記歯車とは、一体に構成されていることを特徴とする請求項１ないし３に記載の車両空調装置用操作装置。
【請求項５】
前記切換スイッチノブによる操作機能の切り換え時、前記表示板が前記の歯車列を介して回転され、当該操作機能の表示部が前記表示板の頂点位置に来る構成とされていることを特徴とする請求項１ないし４に記載の車両空調装置用操作装置。
【請求項６】
前記表示板は、頂点位置に来た表示部のみが照明によりハイライトされる構成とされていることを特徴とする請求項５に記載の車両空調装置用操作装置。
【請求項７】
前記表示板を回転する前記の歯車列は、操作装置のケース外部の表面側に設けられていることを特徴とする請求項１ないし６に記載の車両空調装置用操作装置。
【請求項８】
前記の歯車列を構成する歯車は、着色原料による成型品とされていることを特徴とする請求項１ないし７に記載の車両空調装置用操作装置。
【請求項９】
前記切換スイッチノブの中心部には、ボタンスイッチが設けられていることを特徴とする請求項１ないし８に記載の車両空調装置用操作装置。
【請求項１０】
前記ボタンスイッチは、エンボスシート上に成形されたエンボス部により構成されていることを特徴とする請求項９に記載の車両空調装置用操作装置。
【請求項１１】
前記ボタンスイッチの中心部には、該ボタンスイッチの操作機能を表示する表示マークが点対称な図柄により設けられていることを特徴とする請求項９または１０に記載の車両空調装置用操作装置。
【請求項１２】
前記ボタンスイッチは、前記エンボスシートの内側に設けられるスイッチ操作レバーがバックライトの光を透過可能な透明材料により構成されていることを特徴とする請求項１０または１１に記載の車両空調装置用操作装置。
【発明の詳細な説明】
【技術分野】
【０００１】
本発明は、車室内のインストルメントパネルに設置され、車両に搭載されている空調装置を操作する回転式ノブを用いた操作装置に関するものである。
【背景技術】
【０００２】
車両空調装置における操作装置は、操作装置のケース内部に基板を設置し、その基板上に設けられている各種スイッチを、ケース表面のパネル上に配設されている回転式ノブや押圧式ボタンを操作して動作させることにより空調装置を操作するもので、その操作状況については、ケース表面のパネル上に設けられている液晶表示部等によって確認できるように構成されている。
【０００３】
このような操作装置において、空調風吹き出しモード、ファン風量、および室温設定の３つの操作機能に対して、それぞれ回転式ノブ（ダイヤル式ノブ）を設け、この回転式ノブを回転操作することにより、回転軸を介して各操作機能の設定スイッチ（ロータリスイッチ）を動作させ、それぞれの設定内容を切り換え可能とした操作装置の一例が特許文献１に示されている。
【０００４】
【特許文献１】特開２０００−３１１５５２号公報
【発明の開示】
【発明が解決しようとする課題】
【０００５】
しかしながら、特許文献１に示されるような構成では、３つの操作機能毎にそれぞれ３個の回転式ノブと、その操作量を検出するエンコーダ、ボリューム、ディテクタスイッチ等の回転検出素子を備えた設定スイッチ（回転スイッチ）が必要となる。このため、構成が複雑でかつ高価となり、しかも操作装置が大きくなることから、高密度化されているインストルメントパネル上への配置がますます難しくなる傾向にある。
【０００６】
以上のような状況から、車両空調装置用の操作装置においては、インストルメントパネル上への搭載性の面から小型コンパクト化が急務の課題になっており、合わせて装置構成の簡素化、低コスト化が求められているのが実情である。
【０００７】
本発明は、このような事情に鑑みてなされたものであって、回転式ノブを用いた操作装置において、ノブおよび設定スイッチの数を低減し、構成の簡素化、低コスト化を図ると同時に、操作装置のコンパクト化を実現することができる車両空調装置用操作装置を提供することを目的とする。
【課題を解決するための手段】
【０００８】
上記課題を解決するために、本発明の車両空調装置用操作装置は、以下の手段を採用する。
すなわち、本発明にかかる車両空調装置用操作装置は、回転式ノブの回転操作により、設定スイッチによる設定内容を切り換えて車両空調装置を操作する車両空調装置用操作装置において、前記設定スイッチの操作機能を切り換える切換スイッチに対応して設けられている１つの回転式切換スイッチノブと、前記切換スイッチノブの回転操作に連動する歯車を介して回転され、その操作機能を表示する表示板と、前記表示板と同一軸心上に設けられ、前記表示板により表示されている操作機能の設定内容を切り換える前記設定スイッチに対応して設けられている１つの回転式設定スイッチノブと、を備え、車両空調装置の少なくとも３つの操作機能の設定内容を前記切換スイッチノブおよび前記設定スイッチノブの２つの回転式ノブで切り換え可能としたことを特徴とする。
【０００９】
本発明によれば、操作機能を切り換える１つの回転式切換スイッチノブと、その操作機能を表示する表示板と、操作機能の設定内容を切り換える１つの回転式設定スイッチノブとを備えた構成とされ、少なくとも３つの操作機能の設定内容が２個の回転式ノブによって切り換え可能とされているので、少なくとも３個必要としていた操作機能の設定スイッチを１個にすることができる。このため、エンコーダ、ボリューム、ディテクタスイッチ等の回転検出素子の数を少なくとも１／３にすることができ、構成の簡素化および低コスト化を図ることができる。また、各操作機能に対応して少なくとも３個の回転式ノブを必要としていた従来装置に比べ、ノブの数を減らすとともに、ノブ間の間隔を小さくすることができる。このため、操作装置のコンパクト化を図り、高密度化されているインストルメントパネル上での操作装置の配置を容易化することができる。なお、切換スイッチにより切り換えられる少なくとも３つの操作機能としては、空調風吹き出しモード、ファン風量、室温設定が挙げられる。
【００１０】
さらに、本発明の車両空調装置用操作装置は、上記の車両空調装置用操作装置において、前記切換スイッチノブは、外周が歯車形状とされ、このノブ側外周歯車が前記表示板を回転する前記歯車と噛合されていることを特徴とする。
【００１１】
本発明によれば、切換スイッチノブの外周が歯車形状とされ、それが表示板を回転する歯車と噛合されているので、切換スイッチノブ側に別個に歯車を設ける必要がなく、構成を簡素化することができる。また、ノブの外周に設けられる歯車を操作時の滑り止めとして利用できるため、ローレット加工や凹凸加工等の特別な滑り止め加工が不要となる。
【００１２】
さらに、本発明の車両空調装置用操作装置は、上記の車両空調装置用操作装置において、前記ノブ側外周歯車と前記表示板を回転する前記歯車とは、中間歯車を介して噛合されていることを特徴とする。
【００１３】
本発明によれば、ノブ側外周歯車と表示板を回転する歯車とが中間歯車を介して噛合されているので、表示板の回転方向を切換スイッチノブの回転方向と同一方向とすることができる。従って、操作機能の切り換えを同一方向に回転する表示板により違和感なく確認することができる。
【００１４】
さらに、本発明の車両空調装置用操作装置は、上述のいずれかの車両空調装置用操作装置において、前記表示板と該表示板を回転する前記歯車とは、一体に構成されていることを特徴とする。
【００１５】
本発明によれば、表示板と表示板を回転する歯車とが一体に構成されているので、部品点数の増大を抑制し、組み立てを容易化することができる。
【００１６】
さらに、本発明の車両空調装置用操作装置は、上述のいずれかの車両空調装置用操作装置において、前記切換スイッチノブによる操作機能の切り換え時、前記表示板が前記の歯車列を介して回転され、当該操作機能の表示部が前記表示板の頂点位置に来る構成とされていることを特徴とする。
【００１７】
本発明によれば、切換スイッチノブを回転して操作機能を切り換える際、表示板が回転され、その表示部が表示板の頂点位置に来る構成とされているので、常に表示板の頂点位置において現状の操作機能を確認することができる。従って、少なくとも３つの操作機能の設定スイッチを１つにしても、操作機能の確認性が何ら損なわれることはない。
【００１８】
さらに、本発明の車両空調装置用操作装置は、上記の車両空調装置用操作装置において、前記表示板は、頂点位置に来た表示部のみが照明によりハイライトされる構成とされていることを特徴とする。
【００１９】
本発明によれば、表示板の頂点位置に来た表示部のみが照明によってハイライトされるので、操作機能をハイライトされた表示部により確認することができる。このため、操作機能の視認性を一段と高めることができる。
【００２０】
さらに、本発明の車両空調装置用操作装置は、上述のいずれかの車両空調装置用操作装置において、前記表示板を回転する前記の歯車列は、操作装置のケース外部の表面側に設けられていることを特徴とする。
【００２１】
本発明によれば、表示板を回転する歯車列が操作装置のケース外部の表面側に設けられているので、ケース表面に歯車列が露出された斬新なデザインとすることができる。これにより、ケース表面の意匠面におけるデザイン性を高めることができる。
【００２２】
さらに、本発明の車両空調装置用操作装置は、上述のいずれかの車両空調装置用操作装置において、前記の歯車列を構成する歯車は、着色原料による成型品とされていることを特徴とする。
【００２３】
本発明によれば、歯車列をなす歯車が着色原料による成型品とされているので、噛合による摩耗等によって変色したり、塗装が剥がれたりする等の心配がない。従って、耐摩耗性の高い塗装を施す必要もなく、歯車を低コスト化することができる。
【００２４】
さらに、本発明の車両空調装置用操作装置は、上述のいずれかの車両空調装置用操作装置において、前記切換スイッチノブの中心部には、ボタンスイッチが設けられていることを特徴とする。
【００２５】
本発明によれば、切換スイッチノブの中心部にボタンスイッチを設け、ボタンスイッチによる別の操作機能を更に付加することができる。これにより、１つの切換スイッチノブを多機能化し、操作装置を更にコンパクト化することができる。なお、このボタンスイッチは、空調装置のＯＮ／ＯＦＦスイッチ、内外気切り替えスイッチ等として使用することができる。
【００２６】
さらに、本発明の車両空調装置用操作装置は、上記の車両空調装置用操作装置において、前記ボタンスイッチは、エンボスシート上に成形されたエンボス部により構成されていることを特徴とする。
【００２７】
本発明によれば、ボタンスイッチがエンボスシート上に成形されたエンボス部により構成されているので、通常の押しボタンスイッチのような摺動機構やスライダ部材を必要とせず、従って、ボタンスイッチの構造を簡素化することができる。
【００２８】
さらに、本発明の車両空調装置用操作装置は、上述のいずれかの車両空調装置用操作装置において、前記ボタンスイッチの中心部には、該ボタンスイッチの操作機能を表示する表示マークが点対称な図柄により設けられていることを特徴とする。
【００２９】
本発明によれば、ボタンスイッチの中心部にその操作機能を表示する表示マークが点対称な図柄により設けられているので、切換スイッチノブが回転されても、操作機能を表示する図柄を常に同一状態で視認することができる。従って、図柄の見え具合が変わることにより違和感が発生することもない。
【００３０】
さらに、本発明の車両空調装置用操作装置は、上述のいずれかの車両空調装置用操作装置において、前記ボタンスイッチは、前記エンボスシートの内側に設けられるスイッチ操作レバーがバックライトの光を透過可能な透明材料により構成されていることを特徴とする。
【００３１】
本発明によれば、エンボスシート内側のスイッチ操作レバーがバックライトの光を透過可能な透明材料により構成されているので、ボタンスイッチに設けられている操作機能の表示マークをバックライトの光によりプリズム等を用いることなく、簡単に照明することができる。これにより、ボタンスイッチの操作機能の視認性を高めることができる。
【発明の効果】
【００３２】
本発明によると、少なくとも３つの操作機能の設定内容が２つの回転式ノブにより切り換え可能とされ、３つの操作機能の設定スイッチを１つにすることができるため、エンコーダ等の回転検出素子の数を少なくとも１／３とし、構成の簡素化および低コスト化を図ることができる。また、ノブの数を減らすとともに、ノブ間の間隔を小さくすることができるため、操作装置のコンパクト化を図り、高密度化されているインストルメントパネル上での配置を容易化することができる。
【発明を実施するための最良の形態】
【００３３】
以下に、本発明にかかる実施形態について、図面を参照して説明する。
［第１実施形態］
以下、本発明の第１実施形態について、図１および図２を用いて説明する。
図１には、本発明の第１実施形態に係る車両空調装置用操作装置の正面図が示され、図２には、その断面図が示されている。車両空調装置用操作装置１は、ボックス形状のケース２を備えている。ケース２の内部には、空調装置を操作する回路が組み込まれた基板３が設置されており、基板３上には、空調装置を操作する操作機能を切り換えるための切換スイッチ４と、操作機能の設定内容を切り換えるエンコーダ、ボリューム、ディテクタスイッチ等からなる設定スイッチ５が設けられている。
【００３４】
ケース２の表面側には、フェースモード、フットモード、デフロストモード、バイレベルモード等の空調風吹き出しモードと、ファン風量と、室温設定との３つの操作機能を切り換える回転式切換スイッチノブ６が切換スイッチ４に対応して設けられている。この回転式切換スイッチノブ６は、公知のロータリスイッチからなる切換スイッチ４の回転軸７に取り付けられており、回転式切換スイッチノブ６の回転操作により切換スイッチ４が切り換え可能とされている。
【００３５】
回転式切換スイッチノブ６の外周部は、歯車形状とされており、このノブ側外周歯車６Ａは、後述する中間歯車１５と噛合されている。また、回転式切換スイッチノブ６の外周側領域において、ケース２の表面には、上記した３つの操作機能である空調風吹き出しモード、ファン風量および室温設定を表示する表示部８Ａ，８Ｂ，８Ｃと、そのインジケータ９Ａ，９Ｂ，９Ｃが設けられ、切換スイッチ４がどの切り換え位置にあるかが把握できる構成とされている。
【００３６】
また、ケース２の表面側には、回転式切換スイッチノブ６と隣接して設定スイッチ５に対応する回転式設定スイッチノブ１０が配設されている。この回転式設定スイッチノブ１０は、上記のとおりエンコーダ、ボリューム、ディテクタスイッチ等の回転検出素子からなる設定スイッチ５の回転軸１１に取り付けられており、回転式設定スイッチノブ１０の回転操作によって、切換スイッチ４により切り換えられた空調風吹き出しモード、ファン風量および室温設定の設定内容が切り換え可能とされている。
【００３７】
さらに、ケース２の表面側には、回転式設定スイッチノブ１０と同一軸心上に、表示板１２と、この表示板１２と一体をなす歯車１３が回転自在に配設されている。表示板１２は、回転式設定スイッチノブ１０の外径よりも大径のドーナツ形状の円板により構成されており、その円周上には、上記した３つの操作機能を表す表示部１４Ａ，１４Ｂ，１４Ｃが等分割位置に設けられている。なお、表示板１２は樹脂製であり、表示板１２上に設けられている表示部１４Ａ，１４Ｂ，１４Ｃは、光を透過可能な色により印刷されている。
【００３８】
歯車１３は、ケース２上に回転自在に設けられている中間歯車１５と噛合され、中間歯車１５を介して切換スイッチノブ６の外周に形成されているノブ側外周歯車６Ａと噛合されている。この歯車６Ａ、歯車１５および歯車１３の歯車列により、回転式切換スイッチノブ６を回転操作して切換スイッチ４により操作機能を切り換えた時、表示板１２が回転され、その表示部１４Ａ，１４Ｂ，１４Ｃの何れが表示板１２の頂点位置（図１における上方位置）に来る構成とされている。
【００３９】
また、表示板１２の頂点位置に対応する裏面位置には、照明ランプ（図示省略）が設置されており、頂点位置に来た表示部１４Ａ，１４Ｂ，１４Ｃのみを照明によりハイライトできる構成とされている。なお、上述のとおり、回転式切換スイッチノブ６およびその外周歯車６Ａ、回転式設定スイッチノブ１０、表示板１２、歯車１３、および中間歯車１５をケース２の表面側に配設している。このことから、特に、歯車６Ａ、歯車１３および中間歯車１５については、着色原料によって成型された成型品とし、噛合による摩耗等によって変色が生じない構成とされている。
【００４０】
以上に説明の構成により、本実施形態によれば、以下の作用効果を奏する。
上記操作装置１により空調装置を操作する場合において、室温設定値を変更する（切り換える）ときは、まず回転式切換スイッチノブ６を回転操作して切換スイッチ４により操作機能を室温設定状態に切り換える。この切り換えは、表示部（ＴＥＭＰ）８Ｃに対応するインジケータ９Ｃの点灯により確認することができる。
【００４１】
回転式切換スイッチノブ６の回転操作により表示板１２は、歯車６Ａ、歯車１３および中間歯車１５を介して回転式切換スイッチノブ６と同方向に回転され、円周上に設けられている表示部（ＴＥＭＰ）１４Ｃが表示板１２の頂点位置（図１における上方位置）とされる。表示板１２の回転により頂点位置に来た表示部（ＴＥＭＰ）１４Ｃは、裏面から照明によってハイライトされるため、操作機能が室温設定状態に切り換えられていることが視認可能となる。
【００４２】
この状態で回転式設定スイッチノブ１０を操作することにより、設定スイッチ５が回転量を検出し、それに見合った温度に室温設定値を切り換える（変更する）。なお、室温の設定値は、図示省略の液晶表示部（ＬＣＤ）に操作状態が表示されるので、それによって室温が希望の温度に設定されているか否かを確認することができる。同様にして、ファン風量および空調風吹き出しモードについても、希望するファン風量および吹き出しモードを設定することができる。
【００４３】
これによって、室温設定、ファン風量、および空調風吹き出しモードの少なくとも３つの操作機能の設定内容が２つの回転式ノブ、すなわち回転式切換スイッチノブ６および回転式設定スイッチノブ１０の操作により切り換え可能となるため、少なくとも３つの操作機能の設定スイッチを１つにすることができる。従って、エンコーダ、ボリューム、ディテクタスイッチ等の回転検出素子の数を少なくとも１／３にすることができ、構成の簡素化および低コスト化を実現することができる。
【００４４】
また、室温設定、ファン風量、および空調風吹き出しモードの３つの操作機能に対応して３個の回転式ノブを必要としていた従来装置に比べ、ノブの数を２個に低減することができるとともに、各ノブ間の間隔を小さくすることができるため、操作装置１を小型コンパクト化することができる。従って、高密度化されているンストルメントパネル上での操作装置１の配置を容易化することができる。
【００４５】
さらに、切換スイッチノブ６の外周を歯車形状とし、その外周歯車６Ａを、中間歯車１５を介して表示板１２を回転する歯車１３に噛合させているため、切換スイッチノブ６側に別個に歯車を設ける必要がなく、構成を簡素化することができる。同時に切換スイッチノブ６の外周に設けられた歯車６Ａを操作時の滑り止めとして利用できるため、切換スイッチノブ６に対してローレット加工や凹凸加工等の特別な滑り止め加工が不要となる。
【００４６】
また、切換スイッチノブ６側の外周歯車６Ａと表示板１２を回転する歯車１３とを中間歯車１５を介して噛合させているため、表示板１２の回転方向を切換スイッチノブ６の回転方向と同一方向とすることができる。従って、切換スイッチノブ６による操作機能の切り換えを同一方向に回転する表示板によって違和感なく確認することができる。加えて表示板１２とそれを回転する歯車１３とを一体構成としているため、部品点数の増大を抑制し、組み立てを容易化することができる。
【００４７】
また、切換スイッチノブ６を回転操作して操作機能を切り換える際、表示板１２が回転され、その表示部１４Ａ，１４Ｂ，１４Ｃが表示板１２の頂点位置に来るようにされているため、常に表示板１２の頂点位置において現状操作機能を表示部１４Ａ，１４Ｂ，１４Ｃにより確認することができる。しかも頂点位置に来た表示部１４Ａ，１４Ｂ，１４Ｃが照明によりハイライトされるようになっているため、その表示部をハイライト状態で確認することができる。従って、３つの操作機能の設定スイッチを１つにしても、操作機能の確認性が損なわれることはなく、その視認性を一段と高めることができる。
【００４８】
さらに、表示板１２を回転する歯車６Ａ，１５，１３からなる歯車列がケース２の表面側に設けられているため、ケース２の表面に歯車列が露出された斬新なデザインとし、ケース表面の意匠面におけるデザイン性を向上することができる。また、この点に鑑み歯車列をなす歯車６Ａ，１５，１３を着色原料による成型品としているため、歯車が噛合による摩耗等によって変色したり、塗装が剥がれたりする等の心配がなく、従って、耐摩耗性の高い塗装を施す等の必要もなく、歯車を低コスト化することができる。
【００４９】
［第２実施形態］
次に、本発明の第２実施形態について、図３および図４を用いて説明する。
本実施形態は、上記した第１実施形態に対して、切換スイッチノブ６の中心部に更にボタンスイッチ２０が設けられている点が異なる。その他の点については、第１実施形態と同様であるので説明は省略する。
本実施形態においては、図３および図４に示されるように、切換スイッチノブ６の中心部に、エンボスシート２１上に成形されたエンボス部２２により構成されるボタンスイッチ２０が設けられている。
【００５０】
また、ボタンスイッチ２０に対応して切換スイッチノブ６の中心部には、切り込みによってスイッチ操作レバー２３が設けられており、このスイッチ操作レバー２３には突起部２４が一体に形成されている。さらに、スイッチ操作レバー２３の突起部２４に対応して基板３上にタクトスイッチ２５が設けられ、このタクトスイッチ２５に対して突起部２４が係合されている。これによって、ボタンスイッチ２０を押圧すると、スイッチ操作レバー２３が弾性変形され、突起部２４を介してタクトスイッチ２５が動作される構成とされている。
【００５１】
スイッチ操作レバー２３は、基板３上に設けられているＬＥＤ等のバックライト２６からの光が透過可能に透明材とされており、ボタンスイッチ２０の中心部に設けられている表示マーク２７を照らし出すことができるようにされている。表示マーク２７は、空調装置（エアコン）を意味するものであり、点対称な図柄によって構成されている。また、表示マーク２７は、光を透過可能な色により印刷されており、バックライト２６の光で照明されることによって図柄が浮き出る構成とされている。
【００５２】
上記のように、切換スイッチノブ６の中心部に、空調装置（エアコン）を意味する表示マーク２７を付した空調装置のＯＮ／ＯＦＦスイッチとして機能するボタンスイッチ２０を設けたことにより、切換スイッチノブ６を多機能化することができるため、操作装置１を更にコンパクト化することができる。また、ボタンスイッチ２０をエンボスシート２１上に成形したエンボス部２２により構成しているため、通常の押しボタンスイッチのような摺動機構やスライダ部材を必要とせず、その構造を簡素化することができる。
【００５３】
さらに、ボタンスイッチ２０の中心部に設けられる操作機能の表示マーク２７を点対称な図柄としているため、切換スイッチノブ６が回転されても、操作機能を表示する図柄を常に同一状態で視認することができ、図柄の見え具合が変わることにより違和感が発生することもない。しかも、表示マーク２７は光を透過可能な色で印刷され、透明材料により構成されているスイッチ操作レバー２３を通して照明されるバックライトの光で図柄が浮き出るように構成されているため、プリズム等を用いることなく、表示マーク２７を簡単に照明することができ、ボタンスイッチ２０の操作機能の視認性を高めることができる。
【００５４】
なお、本発明は、上記実施形態にかかる発明に限定されるものではなく、その要旨を逸脱しない範囲において、適宜変形が可能である。例えば、上記実施形態では、中間歯車１５を介して切換スイッチノブ６の外周歯車６Ａと歯車１３とを噛合させているが、この中間歯車１５を省略し、外周歯車６Ａと歯車１３とを直接噛合させてもよい。この場合、切換スイッチノブ６の操作方向（回転方向）と表示板１２の回転方向とが逆になるが、それ以外特に相違点は生じない。また、上記実施形態では、ボタンスイッチ２０を空調装置のＯＮ／ＯＦＦスイッチとした場合の例について説明したが、これ以外に、例えば内外気切り替えスイッチ等として使ってもよい。
【図面の簡単な説明】
【００５５】
【図１】本発明の第１実施形態に係る車両空調装置用操作装置の正面図である。
【図２】図１に示す車両空調装置用操作装置の断面図である。
【図３】本発明の第２実施形態に係る車両空調装置用操作装置の切換スイッチノブの正面図である。
【図４】図３におけるａ−ａ断面相当図である。
【符号の説明】
【００５６】
１  車両空調装置用操作装置
２  ケース
４  切換スイッチ
５  設定スイッチ
６  回転式切換スイッチノブ
６Ａ  ノブ側外周歯車
１０  回転式設定スイッチノブ
１２  表示板
１３  歯車
１４Ａ，１４Ｂ，１４Ｃ  表示部
１５  中間歯車
２０  ボタンスイッチ
２１  エンボスシート
２２  エンボス部
２３  スイッチ操作レバー
２６  バックライト
２７  表示マーク
【図１】
0005022282.tif 000002
【図２】
0005022282.tif 000003
【図３】
0005022282.tif 000004
【図４】
0005022282.tif 000005